(57)【要約】      （修正有）【課題】石板が発生するラドンの効果を保持しつつ、湯船内において石板を破損しにくい状態で保護するラドン浴用の石版ユニットを提供する。【解決手段】原材料にラジウム鉱石を含む石板を樹脂製のケース体に納めたラドン浴用の石板ユニットであって、ケース体５は、上下から石板１を夾んで保持する底面材１０と上蓋材２０とからなり、底面材は、複数の開口１１を備えるとともに、石板の外周に当接させて当該石板を保持させる保持壁１２を備え、上蓋材２０は、中央に開口部２１を備え、この開口部は、底面材に設けた保持壁と略相似形として石板の上面の略全体（９０％以上１００％未満）を露出させる。石板の上面を大きな開口１１を介して外部に露出させ、ラドン放出効果を確保する一方で、石板の裏面と外周側面はケース体によって衝撃から保護できる。【選択図】図１
0003143548.tif 000002
【実用新案登録請求の範囲】
【請求項１】
原材料にラジウム鉱石を含む石板を樹脂製のケース体に納めたラドン浴用の石板ユニットであって、
前記ケース体は、
上下から石板を夾んで保持する底面材と上蓋材とからなり、
底面材は、
複数の開口を備えるとともに、石板の外周に当接させて当該石板を保持させる保持壁を備え、
上蓋材は、中央に開口部を備え、
この開口部は、底面材に設けた保持壁の形状と略相似形を呈し、石板の上面の９０％以上１００％未満の面積を露出させることを特徴とするラドン浴用の石板ユニット。
【請求項２】
ケース体を構成する底面材と上蓋材は、内部に納めた石板の取り出しが可能となるように、開閉自在とすることを特徴とする請求項１記載のラドン浴用の石板ユニット。
【請求項３】
底面材と上蓋材は、
全体形状が平面略方形であり、
隅角部にスライド式のロック部材を備え、
このロック部材は、底面材に設けたスライド用レールと上蓋材に設けた係合フランジとに沿ってスライドするものであって、
上蓋材に設けた係合フランジの長手方向寸法を、当該ロック部材のスライド量より小さく設定してあることを特徴とする請求項１または請求項２記載のラドン浴用の石板ユニット。
【考案の詳細な説明】
【技術分野】
【０００１】
本考案は、湯船に沈めてラドン浴効果を得る石板ユニットに係り、とくにラジウム鉱石を配合した石板を納めるためのケース体の構造に関する。
【背景技術】
【０００２】
入浴によるリフレッシュ効果や健康増進のため、近時、さまざまな入浴設備が提案されるようになっている。
【０００３】
各種の入浴法のなかで、呼吸器系統に特に良い効果があるとされるものにラドン浴がある。ラドン浴は、湯船から立ちのぼる湯煙に含まれたラドン（Ｒｎ；原子番号８６）が呼吸器系から体内に入って作用し、心身の鎮静効果やホルモン分泌を促進する。
【０００４】
このような点に着目して、本出願人は、ラジウム鉱石の粉末を原材料に混入させて成形した人工的な石板（陶板を含む）を利用して、岩盤浴のサウナ施設や一般家庭で手軽にラドン浴効果を得る技術を提案した（特許文献１）。
【０００５】
ラジウム鉱石は半永久的に希ガスの一種であるラドンを放出し、天然の温泉に近い環境を作り出す。ラドンのような放射性物質は、わずかな量を身体に受けても害はなく、むしろ免疫機能を高める等の、いわゆるホルミーシス効果として知られる報告がある（米国保健物理学会誌；1982年12月号）。ラジウム鉱石を用いた石板は、常に放射線（ラドン）を発生する性質がある。
【特許文献１】特開２００７−００６９６７
【考案の開示】
【考案が解決しようとする課題】
【０００６】
ところで、ラジウム鉱石を混合させて成形した石板を湯船に沈めて使用するときは、石板をはだかのままの状態で湯船に沈めるのは好ましくない。
【０００７】
入浴時に石板の上に乗って体重をかけたり衝撃を与えると、比較的肉薄に成形してある石板が破損する可能性があるからである。優れた効果を発揮する真正のラジウム鉱石は価格が高いため、破損したらすぐに新品の石板と交換するということも一般には難しい。
【０００８】
そこで、本願考案の目的は、石板が発生するラドンの効果を保持しつつ、湯船内において石板を破損しにくい状態で保護することにある。
【課題を解決するための手段】
【０００９】
前記目的を達成して、課題を解決するため、本考案に係るラドン浴用の石板ユニットは、原材料にラジウム鉱石を含む石板を樹脂製のケース体に納めたラドン浴用の石板ユニットであって、前記ケース体は、上下から石板を夾んで保持する底面材と上蓋材とからなり、底面材は、複数の開口を備えるとともに、石板の外周に当接させて当該石板を保持させる保持壁を備え、上蓋材は、中央に開口部を備え、この開口部は、底面材に設けた保持壁と略相似形として石板の上面の略全体（９０％以上１００％未満）を露出させる。
【００１０】
かかる構成によれば、石板の上面を上蓋に設けた大きな開口を介して外部に露出させ、ラドン放出効果を確保する一方で、石板の裏面と外周側面はケース体によって衝撃から保護できる。ケース体によって底面と外周部とを保護してあるので、意図的に足で踏みつける等の異常な外力を加えない限り、石板は破損しない。
【００１１】
請求項２は、石板を保護するケース体を開閉自在とするものである。石板を保護するだけなら、ケース体を構成する底面材と上蓋材は開閉不能であっても構わない。しかしながら、湯船の中に沈めて使用するため、石板ユニットはいわゆる湯垢で汚れやすい。このため、底面材と上蓋材とを開閉自在とすることにより、ケース体および石板の洗浄を容易とするものである。開閉構造は特に限定されない。例えば、底面材と上蓋材とを着脱自由に係合させる凹凸を設けるだけでも良いし、底面材と上蓋材とをヒンジを介して接続させ、ヒンジの対向箇所に底面材と上蓋材とをロックする手段を設けても良い。
【００１２】
請求項３は、底面材と上蓋材とをロックする手段である。請求項３では、底面材と上蓋材は、全体形状が平面略方形であり、隅角部にスライド式のロック部材を備え、このロック部材は、底面材に設けたスライド用レールと上蓋材に設けた係合フランジとに沿ってスライドするものであって、上蓋材に設けた係合フランジの長手方向寸法を、当該ロック部材のスライド量より小さく設定する。
【００１３】
スライド式のロック部材を用いることにより、簡単な操作で安全に底面材と上蓋材との係合を解除することが出来る。ケース体は樹脂成形であるから、錆によるロック部材まわりの劣化は生じない。また、スライド用レールや係合フランジの成形は容易であり、製造コストも圧迫されない。繰り返しの耐久性にも優れるため、製品の長期保証も可能となる。
【考案の効果】
【００１４】
本考案に係るラドン浴用の石板ユニットによれば、石板が発生するラドンの効果を保持しつつ、湯船内において石板を破損しにくい状態で保護することが出来る。
【考案を実施するための最良の形態】
【００１５】
図１〜図５は、本考案に係るラドン浴用の石板ユニットの一実施形態を示すものである。
【００１６】
まず、図１に基づいて、全体の構成を説明する。この石板ユニットは、ラジウム鉱石を含有させて成形した石板１を、底面材１０と上蓋材２０とによって構成したケース体５の内部に収納するものである。
【００１７】
石板１は、ラジウム鉱石の粉末を配合して成形できる材料、例えばモルタルや粘度を用いて成形する。この実施形態では、石板１を略正方形に示してあるが、石板１の形状は略正方形に限定されるわけではない。例えば、円形や星形であってもラジウム放出効果は同じである。石板１のデザイン（平面形状、厚み等）は自由である。
【００１８】
ケース体５を構成する底面材１０は、湯船に沈めやすいように、複数の開口１１を備えている。開口１１の形状や数は適宜設計する。
【００１９】
また、底面材１０は、石板１を外周部を保持するための保持壁１２を備える。この保持壁１２の内周面は、本実施形態では石板１の外周形状に合わせて略正方形としてあるが、石板１の形状に応じてデザイン変更してよい。
【００２０】
底面材１０の外周部には、上蓋材２０の外周部と接合する輪郭壁１５を設ける。本実施形態では、輪郭壁１５に左右にスライド可能なロック部材１６を設けてある。このロック部材１６は、例えば、輪郭壁１５に設けたレール材（図示せず）と係合させ、左右に移動可能としておく。
【００２１】
ケース体５を構成する上蓋材２０は、中央に大きな開口２１を備える。石板１の上面の略全体を露出させてラドンを湯中に効果的に放出させるためである。
【００２２】
上蓋材２０は、開口２１の外周まわりに平板状のフレーム部２２を備え、このフレーム部２２の外周縁には、底面材１０の輪郭壁１５と接合させるフランジ２５を立ち下げて配してある。
【００２３】
そして、このフランジ２５には、底面材１０のロック部材１６と係合し、ロック部材１６を外方へスライドさせることよって係合を解除できるロック用の係合フランジ２７を設けてある。
【００２４】
なお、石板１は、図２に示すように、底面材１０の輪郭壁１２の内側にセットし、その上から上蓋材２０をかぶせて、図３に示すような状態、つまり底面材１０と上蓋材２０とを係合させた状態で湯水に沈めて使用する。
【００２５】
次に、ケース体５の細部を説明する。
【００２６】
底面材１０に設ける複数の開口１１は、保持壁１２の内側部分だけでなく、例えば図４、図５に示すように、保持壁１２と輪郭壁１５との間の底面にも配することが好ましい。ケース体５の内部に湯水を容易に導入するためである。保持壁１２と輪郭壁１５との間の隙間はそれほど大きくする必要がないから、この部分に設ける開口１１は、湯水を効率的に内部に導入できればよく、例えば、円形や方形等の単純な形状とすることが好ましい。
【００２７】
保持壁１２の背高は、図２および図４に示すように、石板１の厚みより若干低くしておくことが好ましい。石板１の外周部を露出させることによって、洗浄する場合等に、石板１を取り出しやすくするためである。また、保持壁１２を低くすることで石板１の露出面積を増大させ、ラドン放出量を増やす効果も得る。
【００２８】
図４に示すように、保持壁１２で囲まれた領域の内側には、適宜の凸部１８を設けることが望ましい。凸部１８によって石板１の底面を支持させ、若干の隙間を設けることで開口１１が塞がらないようにするためである。開口１１から湯水が導入しやすいようにしておけば、湯水と石板１との接触面積は確実に増大し、ラドン放出量を拡大できる。
【００２９】
上蓋材２０の開口２１は、石板１の上面の露出面積を出来るだけ大きく確保するため、底面材１０の保持壁１２の内側輪郭線と略相似形にしておく。しかしながら、完全同一の形状寸法とした場合は、石板１の上面を支持することができないため、石板１が開口２１から外部に離脱する可能性がある。そこで、本願考案は９０％以上１００未満の範囲で石板１の上面を露出させるものとして、開口２１の適宜箇所において石板１の上面を支持できる構成としてある。
【００３０】
これは例えば、図４に示すように、石板１の上面端部を抑える突出部２８を上蓋材２０の開口２１端縁に設けることによって実現する。図４中、符号Ｗは、突出部２８によって石板１の上面を抑える寸法量を示すものである。
【００３１】
この寸法量Ｗは、突出部２８の設け方によって適宜設定する。例えば、図６に示すように、突出部２８が、石板１の上面の四隅を抑える場合は、Ｗは３〜１０ｍｍ程度とすることが望ましい。なお、図６において、実線で示す符号Ｒは開口２１の輪郭線、波線で示す符号Ｑは石板１の輪郭線である。略正方形の開口２１の輪郭線Ｒの四隅が、石板１の輪郭線Ｑの内側に斜めに突出して石板１の上面を抑える突出部２８となっている。もちろん、この突出部２８は、角部で石板１を抑える構成に限定されない。例えば、図７に示すように、突出部２８が、石板１の上面の外周端縁の全体を抑える場合は、Ｗは１〜２ｍｍ程度でも良い。実線で示す符号Ｒは開口２１の輪郭線、波線で示す符号Ｑは石板１の輪郭線であり、開口２１の輪郭線Ｒ全体が、石板１の輪郭線Ｑの内側に突出している。このように開口２１の端縁全体で石板１の外周縁を抑える場合は、荷重分散できるため、Ｗの設定量は小さくても良い。
【００３２】
従って、かかる石板ユニットによれば、底面材１０の輪郭壁１２に石板１をセットして、その上から上蓋材２０をかぶせて係合し、湯船に沈めると、ケース体５の内部に湯水が入って、石板１が放出する希ガスであるラドンを湯水中に放出させることが出来る。石板１は、底面材１０および上蓋材２０によって底面と外周が保護され、脱落することもないので、上面を踏みつける等の異常な外力を加えない限り、落下させても石板１は破損しにくい。
【００３３】
また、上蓋材２０の開口２１を大きく設計し、底面材１０にも複数の開口１１を設けるため、石板１のラドン放出量を最大限に担保できる。
【００３４】
雑菌が付着しやすい石板１、およびケース体５の内側の洗浄も容易である。底面材１０のロック部材１６を左右の外方へスライドさせれば、上蓋材２０の係合フランジ２７がロック部材１６の拘束をはずれて、上蓋材２０を取り外し、石板１を底面材１０から簡単に取り外すことが出来るからである。
【００３５】
本願考案に係る石板ユニットは、かかる実施形態のものに限定されない。例えば、前記実施形態では、底面材１０と上蓋材２０とをスライド式のロック部材１６を介して開閉自在としたが、面材１０と上蓋材２０とは着脱自在であればよいから、必ずしもロック部材１６のような可動構造は必要ではない。単純な凹凸の係合によって底面材１０と上蓋材２０とを着脱可能に係合させても良い。また、ロック部材を用いる場合でも、スライド式に限らず、押圧可動式の凹凸係合としてかまわない。
【００３６】
スライド式のロック部材１６を採用する場合でも、ロック部材１６は特別に設けたレール材を夾んでスライドするのではなく、輪郭壁１５の上下全体を夾んでスライドさせる構造であっても良い。従って、実施形態において説明したレール材は必ずしも必要ではない。
【００３７】
底面材１０の輪郭壁１５、上蓋材２０のフランジ２５は、前記実施形態では外周縁の全体に設ける旨図示したが、外周縁に沿ってこれらを連続的に設ける必要はない。底面材１０と上蓋材２０との係合のさせ方が異なるときは、一方を上方または下方に突出させ、他方をそれに応じた凹凸形状に成形しても良いことは勿論である。
【００３８】
石板１の上面を抑える上蓋材２０の突出部２８は、開口２１から適宜箇所で内側に突出する不連続の突出片によって構成しても良い。
【００３９】
底面材１０の裏面には、滑り止め用の部材、例えばゴム材を適宜数配しても良い。
【図面の簡単な説明】
【００４０】
【図１】実施形態に係る石板ユニットの構成を分解して例示する斜視図である。
【図２】図１の状態から底面板に石板を納めた状態を示す図である。
【図３】図２の状態から上蓋材をかぶせた状態を示す図である。
【図４】実施形態に係る石板ユニットの断面を例示する図
【図５】底面材に石板をセットした状態を示す実施形態の平面図である。
【図６】上蓋材の開口の四隅が石板を抑える実施形態の図である。
【図７】上蓋材の開口の外周縁全体が石板を抑える実施形態の図である。
【符号の説明】
【００４１】
１  石板
５  ケース体
１０  底面材
２０  上蓋材
１１、２１  開口
１２  保持壁
１５  輪郭壁
１６  ロック部材
１８  凸部
２１  開口
２２  フレーム部
２５  フランジ
２７  係合フランジ
２８  突出部
Ｗ  （石板１を抑える）寸法量
Ｒ  （開口２１の）輪郭線
Ｑ  （石板１の）輪郭線
【図１】
0003143548.tif 000003
【図２】
0003143548.tif 000004
【図３】
0003143548.tif 000005
【図４】
0003143548.tif 000006
【図５】
0003143548.tif 000007
【図６】
0003143548.tif 000008
【図７】
0003143548.tif 000009